(57)【要約】【課題】空き容器回収機械の処理関連データを更新する。【解決手段】リライトカードの形式のトークンを受け、該カードを読み出しそして該カードに書き込むカード取扱手段が前記空き容器回収機械内に提供されるが、該カードは前面と磁気ストリップ部分とを有する種類であり、前記カード取扱手段は該処理の完了後リサイクル処理に関連して更新された版のカードを該システムユーザーに戻し供給可能である。データ記憶手段が処理データを１時的に記憶するために前記空き容器回収機械内に配置されており、そして更新されたカードを提供するために前記１時的に記憶された処理データに基づき処理及び／又は更新詳細を該カードに適用するための前記カード取扱手段内の適用手段が利用可能であり、前記処理及び／又は更新詳細は機械読み出し可能な形式のみであり、前記磁気ストリップ部分に適用される。【選択図】      図１
2004310223.tif 000002
【特許請求の範囲】
【請求項１】
空き容器回収機械の処理関連データを更新するための方法であるが、ユーザーが返却可能な又はリサイクル可能な品物をリサイクリング用に該空き容器回収機械内に供給する過程と、該ユーザーが前面と磁気ストリップ部分とを有するリライトカードの形式のトークンを該機械に挿入する過程と、そして該ユーザーが該処理後、該処理に関連した更新された版の該トークンを受ける過程とを有する該方法に於いて、該方法が
−該空き容器回収機械内に処理データを１時的に記憶する過程と、
−前記カード上の少なくともボーナス又はクレデイット点関連データを更新するために前記処理データに基づく処理詳細を該カードに適用する過程とを具備しており、前記処理詳細は機械読み出し可能の種類のみでありそして前記磁気ストリップ部分に適用され、そして該方法は又、
−前記空き容器回収機械上のデイスプレー上に関連する処理及び更新データを表示する過程を具備していることを特徴とする該方法。
【請求項２】
空き容器回収機械の処理関連データを更新するシステムに於いて、
−リサイクリング用に該空き容器回収機械内へ供給される返却可能な又はリサイクル可能な品物をユーザーから受けるための該空き容器回収機械内の手段と、
−リライトカードの形式のトークンを受け取り、該カードを読み出しそして該カード上に書き込むための前記空き容器回収機械内のカード取扱手段とを具備しており、該カードは前面と磁気ストリップ部分とを有する種類であり、前記カード取扱手段は該処理完了後リサイクリング処理に関連した更新された版のカードを該システムユーザーに戻るよう供給出来て、該システムは更に、
−処理データを１時的に記憶するための前記空き容器回収機械内のデータ記憶手段と、
−前記１時的に記憶された処理データに基づき処理及び／又は更新詳細を該カードに適用するための前記カード取扱手段内の適用手段とを具備しており、前記処理及び／又は更新詳細は機械読み出し可能形式のみであり、前記磁気ストリップ部分に適用されており、そして該システムはなお更に、
−前記処理及び更新に関連する情報を表示するために前記空き容器回収機械上にデイスプレー手段を具備することを特徴とする該システム。
【発明の詳細な説明】
【０００１】
［産業上の利用分野］
本発明は付置する特許請求項の前文で規定された様な空き容器回収機械（ｒｅｖｅｒｓｅ  ｖｅｎｄｉｎｇ  ｍａｃｈｉｎｅ）関連データを更新（ｕｐｄａｔｉｎｇ）するための方法とシステムに関する。
【０００２】
【従来の技術】
空き容器回収機械｛アールブイエム（ＲＶＭ）｝収集品物（ｃｏｌｌｅｃｔｉｎｇ  ｉｔｅｍｓ）、例えば、顧客により該アールブイエムへ供給される、空いた飲料びん及び缶（ｅｍｐｔｙ  ｂｅｖｅｒａｇｅ  ｂｏｔｔｌｅｓ  ａｎｄ  ｃａｎｓ）に関連して、その処理データは該アールブイエムにより記録され、トークン（ｔｏｋｅｎ）が、該供給された品物のために授けられたクレデイットの証明（ｐｒｏｏｆ）として該顧客へ供給される。この様なトークンは次いで該トークン上に指定された合計に対応する現金を店頭レジ係（ｓｈｏｐ  ｃａｓｈｉｅｒ）から得るため使用出来る。
【０００３】
しかしながら、幾つかの他のシステムでは、顧客は、該アールブイエムへ品物を供給する時該顧客が該アールブイエムで処理を始動する度に該アールブイエム内へ挿入されるリライタブルカード（ＲｅＷｒｉｔａｂｌｅ  ｃａｒｄ）｛アールダブリューカード（ＲＷ−ｃａｒｄ）｝を所有しているかも知れない。該アールブイエムは次いで該カードを読み、該カード上の１つ以上の磁気ストリップ上のデータを更新するのみならず該カード上の書かれ、視認可能なデータを消すか、又は上書きしそして行われた最終処理の結果として眼で読み出し可能なフオーマットで更新されたデータでそれを置き換える。その様な場合、全ての価値ある情報が該カード自身上に配置される。更新目的で該カードを”開く（ｏｐｅｎ）”ためには或る場合ピーアイエヌコード（ＰＩＮ−ｃｏｄｅ）が安全上の理由で有用である。ボーナス又は高い現金リフアンドを得るために、これらの種類のカードは或る点まで累積されたクレデイットを得るよう使用されることが多い。しかしながら、この様なカードは普通個人的で、もしこの様なカードを紛失するなら、該カード上に記憶された”貴重品（ｖａｌｕａｂｌｅｓ）”は何等かの仕方で検索されることは出来ない。この様な状況発生のリスクは、しかしながら、簡単で安いシステムを使用することに比して比較されねばならない。
【０００４】
更新されたデータをリライト（ｒｅｗｒｉｔｅ）しそして該磁気ストリップ上に更新されたデータをロードする両方のための、とりわけ、該カード及び付加ハードウエアのコストのために、この様なアールダブリューカード上の可視的で、目視読み出し可能な情報を更新し、加えて該カード上の該磁気ストリップ上に更新情報をロードする、両方が、該処理の更新への付加される支出を創ることが考慮されて来た。従って、処理データを更新するためにより簡単な種類のアールダブリューカードが使用出来て、なおその本来の利点と欠点を有する従来技術の方法とシステムの便益を保持する様な、システムに到達することが望まれて来た。
【０００５】
［発明が解決しようとした課題と課題を解決するための手段］
本発明によれば、該方法は包含された特許請求項のみならず付属する図面を参照した下記説明から出現する特徴により特徴付けられる。
【０００６】
更に、本発明によれば、該システムは包含された特許請求項のみならず付属する図面を参照した下記説明から出現する特徴により特徴付けられる。
【０００７】
【実施例】
ユーザー１は最初に管理センター（ａｄｍｉｎｉｓｔｒａｔｉｏｎ  ｃｅｎｔｅｒ）又は何等かの他のカードベンダー又はデイストリビューター２から新しいアールダブリューカード３（アールダブリュー＝リライト）を受けるが、該カードは、該デイストリビューター又はオペレーターの場所で適当な様に、その磁気ストリップ上１０にカードアイデンテイテイシーアイデー（ｃａｒｄ  ｉｄｅｎｔｕｔｙ  ＣＩＤ）と安全キーとを用いてフオーマットされているか、又は該カードは該カード製造者により供給された正しい情報を有して予め作られ得る。該ユーザー１は次いで、例えば、取り戻し（ｒｅｄｅｍｐｔｉｏｎ）｛リフアンド（ｒｅｆｕｎｄ）｝価値を有する品物５を供給するために空き容器回収機（アールブイエム）４を使用する時ボーナス点を得るために彼のカードを使用出来る。該ユーザー１が点の或る量に達すると、該点の量又はクレデイットは次いでボーナス品物、現金又は他の貴重品と交換出来る。
【０００８】
ローカルな管理センター２はオプションとして、カードユーザー、使用中のカード又は発行されたカード、そして他の関係あるデータ及び統計に関係する登録を有するデータベース６を備えることが出来る。
【０００９】
該ユーザー１が、返却可能な又はリサイクル可能な品物５を該アールブイエム４に供給することを通してこの様な品物のリサイクリングを始動すると、その時該カード３はその磁気ストリップ上のみが、例えば、該カードが最後に何時使われたか、最後の点、最後の処理点、書き込み、書き込みの数、最後に使用された日時、発行日時他、に関する処理詳細を用いて更新されるが、該更新手順を通した該カード３”の前面は何れの更新情報も供給されず、情報は他の情報で置き換えられない。代わりに、更新された情報、処理情報、そして他の関係情報は該アールブイエム４のデイスプレー４’上に可視的に示される。
【００１０】
適切である、とは言え必ずしも必要ないが、該カードの磁気ストリップ３”’上に記憶された該情報は、起こり得る偽造に限り、避けるために暗号化形式である。該磁気ストリップ上に記憶される該情報は、該処理詳細、直列番号そして上記何等かの安全コードに加えて、又レイアウト情報、管理データそして副管理データ（ｓｕｂ−ａｄｍｉｎｉｓｔｒａｔｉｏｎ  ｄａｔａ）の１つ以上を含むことが出来る。
【００１１】
該カード３の前面は例えば該カードの寿命時間を通して訂正される予定でない、標準化された情報、直列番号、宣伝、そして個人的情報他の１つを含むことが出来る。しかしながら、該前面は代わりにその上の何等の情報も欠いていてもよい。
【００１２】
該処理が完了すると、該処理は１時的にログされ、該カードの磁気ストリップ３”’上に記録されるまで該アールブイエム４内に記憶される。しかしながら、該磁気ストリップ３”’内に事実ロードされる同じ情報を該カード３”上にプリントする代わりに、可視的に読める形式のその情報の幾つか又は全部が該アールブイエム４のデイスプレー４’上に示される。
【００１３】
もしカードオーナーが得られたそして該更新されたカード３”から機械読み出し可能なクレデイットの現在のステイタス又はボーナス点について情報を得たいならば、該ユーザー１は最も近くのアールブイエム４まで行き、該カード３”を挿入し、そして該デイスプレー４’上に提示された該情報を得てもよい。
【００１４】
かくして、該ユーザーが、例えば、空の飲料びん、缶、プラスチックトレー、カートンそして他のパッケージング材料の様なリサイクル品物５を、アールブイエムユニット４内に負荷させ、該カード３’が同時に該アールブイエム４内の適当な読み出し／書き込みデバイス４’内に置かれると、そして全ての品物が受け取られ該アールブイエム４により処理され、かくして該処理が完了すると、該カード３’は更新されたカード３”の形式で該ユーザーに戻される。しかしながら、上記で示した様に、該カード自身上の該更新は該カードの磁気ストリップ上のデータの更新のみに関係するが、該カード３”の前面上の可視的な形式では更新情報は提供されない。これにより、後側に磁気ストリップを有し、ことによるとカード前面上の何等かのグラフイカルなレイアウトに加えて、該前のページ上にはワンタイムインプリント（ｏｎｅ−ｔｉｍｅ  ｉｍｐｒｉｎｔ）を有する、標準の種類のカードを本発明は利用可能になる。
【００１５】
ユーザーが累積された或る量のクレデイット点を得ると、その量はボーナス品物、チェック（ｃｈｅｑｕｅ）、クーポン（ｖｏｕｃｈｅｒ）、現金又は他の貴重品に交換される７。この様な交換７は該ボーナスカード３”を該管理センター２へ持って行くか送ることによりもたらされる。又該カード３”に関連するクレデイットの褒賞（ｈｏｎｏｕｒｉｎｇ）は、現金化可能なクーポン（ｒｅｄｅｅｍａｂｌｅ  ｖｏｕｃｈｅｒ）を発行し、同時に該カード磁気ストリップ上の識別されるクレデイット又はボーナス点を減じる又は削除する設備を有する、例えば、アールブイエム４を通して行えることも可視化されることが出来る。該カードは、例えば、トムラシステムズエイエスエイ（Ｔｏｍｒａ  Ｓｙｓｔｅｍｓ  ＡＳＡ）により開発されたシーアールダブリューアドミンソフトウエア（ＣＲＷＡｄｍｉｎ  Ｓｏｆｔｗａｒｅ）｛シーアールダブリューアドミン＝カードリードライトアドミニストレーション（ＣａｒｄＲｅａｄＷｒｉｔｅＡｄｍｉｉｓｔｒａｔｉｏｎ）｝の様な適用可能なソフトウエアにより読み出され得る。オプションとして、該ローカル管理センター２はユーザー情報８を得て、ユーザー情報９を記憶するために該データベース６と通信出来る。
【００１６】
本発明はかくしてデータの速くて効率的な処理を提供し、記憶されるべき該情報は該カード３”の磁気ストリップ上にのみ提供される。かくして、本発明は例えば、管理センターの中央コンピユータ内に、又はアールブイエム内のメモリー内に記憶されるべき何れの情報にも依らない。全てのクレデイット又はボーナス情報は該カードのみに記憶される。この解決策は該全体システム構造を他のシステムからの公知のそれより簡単で安くさせて、その更新は該アールブイエムで行われた処理に従って該カード３”上で直ちに行われる。
【００１７】
大抵の場合、例え、該カード３”上に磁気的に記憶されたデータ（更新されたものでも又は他のものでも）のバックアップは該アールブイエム４内でも、該ローカル管理センター２にも行われないが、本発明は安全で信頼性ある解決策を提供する。起こり得るが、頻繁に起こりそうもない欠点性の状況は、或る量のクレデイット又はボーナス点をロードされたカードが物理的破壊を通して偶然壊されるか、又は該磁気ストリップが強磁場に曝された時である。しかしながら、本発明の全ての意図と目的用には、本発明の方法とシステムの簡単さと多様性は、取得したクレデイットとボーナス点を失う何等かの起こり得るが、頻繁には起こりそうもないリスクより遙かに重要である。
【００１８】
該ローカル管理センター２はユーザー１へ供給されるべきカード３を提供する。
【００１９】
本発明の特徴及び態様を示せば以下の通りである。
【００２０】
１．空き容器回収機械の処理関連データを更新するための方法であるが、ユーザーが返却可能な又はリサイクル可能な品物をリサイクリング用に空き容器回収機械内に供給する過程と、該ユーザーが前面と磁気ストリップ部分とを有するリライトカードの形式のトークンを該機械に挿入する過程と、そして該ユーザーが該処理後、該処理に関連した更新された版の該トークンを受ける過程とを有する該方法に於いて、該方法が
−該空き容器回収機械内の処理データを１時的に記憶する過程と、
−前記カード上の少なくともボーナス又はクレデイット点関連データを更新するために前記処理データに基づく処理詳細を該カードに適用する過程とを具備しており、前記処理詳細は機械読み出し可能の種類のみでありそして前記磁気ストリップ部分のみに適用され、そして該方法は又、
−前記空き容器回収機械上のデイスプレー上に関連する処理及び更新データを表示する過程を具備していることを特徴とする該方法。
【００２１】
２．更に、
−該カードを検査し確認することによりカード関連ボーナス又はクレデイット点をボーナス品物、チェック、クーポン、現金又は他の貴重品に全部を又は部分的に交換する過程と、
−前記交換を反映するために該磁気ストリップ部分上のデータを更新することにより前記交換を実行するためのカード関連点を該カードから全部又は部分的に引き抜く過程と、そして
−該ユーザーに前記ボーナス品物、チェック、クーポン、現金又は他の貴重品を提供する過程とを具備する上記１の方法。
【００２２】
３．空き容器回収機械処理関連データを更新するシステムに於いて、
−リサイクリング用にユーザーから該空き容器回収機械内へ供給される返却可能な又はリサイクル可能な品物を受けるための該空き容器回収機械内の手段と、
−リライトカードの形式のトークンを受け取り、該カードを読み出しそして該カード上に書き込むための前記空き容器回収機械内のカード取扱手段とを具備しており、該カードは前面と磁気ストリップ部分とを有する種類であり、前記カード取扱手段は該処理完了後リサイクルに関して更新された版のカードを該システムユーザーに戻るよう供給出来て、該システムは更に、
−処理データを１時的に記憶するための前記空き容器回収機械内のデータ記憶手段と、
−前記１時的に記憶された処理データに基づき処理及び／又は更新詳細を該カードに適用するための前記カード取扱手段内の適用手段とを具備しており、前記処理及び／更新詳細は機械読み出し可能形式のみであり、前記磁気ストリップ部分に適用されており、そして該システムはなお更に、
−前記処理及び更新に関する情報を表示するために前記空き容器回収機械上にデイスプレー手段を具備することを特徴とする該システム。
【００２３】
４．上記３のシステムに於いて
−該カードを検査し確認するコトニヨリカード関連のボーナス又はクレデイット点の全部を又は部分的にボーナス品物、チェック、クーポン、現金又は他の貴重品に交換することの実行のために該カードを受けるためのローカル管理センター内の手段と、そして
−交換されたカード関連点を該カード磁気ストリップから引き抜くための該ローカル管理センター内の手段とを具備することを特徴とする該システム。
【００２４】
５．上記４のシステムに於いて、
−前記交換に続いて該カードの磁気ストリップ部分を更新出来る該ローカル管理センター内の手段を具備することを特徴とする該システム。
【図面の簡単な説明】
【図１】本発明による全体的システムとそれに関連した方法の特徴の表現である。
【符号の説明】
１  ユーザー
２  カードベンダー又はデイストリビューター又はローカル管理センター
３、３”  アールダブリューカード又はリライトカード
３”’  磁気ストリップ
４  空き容器回収機械（アールブイエム）
４’  デイスプレー、読み出し／書き込みデバイス
５  品物
６  データベース
７  交換
８、９  ユーザー情報
【図１】
2004310223.tif 000003